(57)【要約】【課題】カメラと被装着物とを電気的に接続可能なカメラシステム、被装着物と電気的に接続可能なカメラ、及び、カメラと電気的に接続可能な装着物を提供する。【解決手段】第１の電気接点部１４０を備えたカメラ１００と、第２の電気接点部２５０を備えた被装着物２００とから成るカメラシステム１を、被装着物２００をカメラ１００に着脱する際には、被写体光の光軸に垂直な平面内において、被装着物２００とカメラ１００とを相対的に直進移動せしめ、被装着物２００とカメラ１００とは、装着完了位置に位置しているときに、第１の電気接点部１４０と第２の電気接点部１５０とを介して導通する構成とした。【選択図】図１
2008276079.tif 000002
【特許請求の範囲】
【請求項１】
カメラと、該カメラに着脱可能な被装着物とから成るカメラシステムであって、
前記カメラは、第１の電気接点部と、第１の取付部とを備え、
前記被装着物は、第２の電気接点部と、前記第１の取付部と係合可能な第２の取付部とを備え、
前記被装着物を前記カメラに着脱する際には、前記被装着物から前記カメラに対して進行する被写体光の光軸に垂直な平面内において、前記被装着物と前記カメラとを相対的に直進移動せしめ、
前記第１の取付部と前記第２の取付部とのうちの少なくとも一方は、前記被装着物と前記カメラとの相対的な前記直進移動を案内する直進案内部を備えており、
前記直進案内部を介した直進移動によって前記被装着物が前記カメラに対して装着完了された装着完了位置に位置しているときに、前記被装着物と前記カメラとが、前記第１の電気接点部と前記第２の電気接点部とを介して導通すること
を特徴とするカメラシステム。
【請求項２】
前記被装着物は、被装着物側通信部を備え、
前記カメラは、前記第１の電気接点部と前記第２の電気接点部との導通状態下において、前記被装着物側通信部に対して双方向通信を行なうカメラ側通信部を備えること
を特徴とする請求項１に記載のカメラシステム。
【請求項３】
前記第１の電気接点部は、複数の第１電気接点を有し、
前記第２の電気接点部は、前記複数の第１電気接点にそれぞれ対応する複数の第２電気接点を有し、
前記複数の第１電気接点と、該第１電気接点の各々に対応する複数の第２電気接点の各々とは、前記直進移動に伴ってそれぞれほぼ同時に接触すること
を特徴とする請求項１又は２に記載のカメラシステム。
【請求項４】
前記第１の電気接点部と前記第２の電気接点部は、前記直進移動によって前記被装着物が前記装着完了位置に至る手前の位置である完了直前位置において接触を開始し、
前記完了直前位置から前記装着完了位置に至るまでの前記被装着物と前記カメラとの間の相対的な直進移動に伴って、前記両電気接点部は互いに摺動すること
を特徴とする請求項３に記載のカメラシステム。
【請求項５】
前記複数の第１電気接点と前記複数の第２電気接点は、それぞれ前記直進移動の方向に交差する方向に配列されるとともに、
前記第１の電気接点部と前記第２の電気接点部はそれぞれ、前記直進移動の方向に垂直であり且つ前記装着時には互いに対向配置される接触面部を備えること
を特徴とする請求項３に記載のカメラシステム。
【請求項６】
前記第１の電気接点部は、複数の第１電気接点を有し、
前記第２の電気接点部は、前記複数の第１電気接点に対応する複数の第２電気接点を有し、
前記複数の第１電気接点と前記複数の第２電気接点は、それぞれ前記直進移動の方向に交差する方向に配列されるとともに、前記第１、第２の電気接点部のうちの少なくとも一方の電気接点部が前記被写体光の光軸に垂直な接触面部を備えること
を特徴とする請求項１から請求項４までの何れか１項に記載のカメラシステム。
【請求項７】
前記第１の電気接点部は、複数の第１電気接点を有し、
前記第２の電気接点部は、前記複数の第１電気接点に対応する複数の第２の電気接点を有し、
前記複数の第１電気接点と前記複数の第２電気接点は、それぞれ前記直進移動の方向に平行に配列されるとともに、前記第１、前記第２の電気接点部のうちの少なくとも一方の電気接点部が前記直進移動の方向に平行な接触面部を備えること
を特徴とする請求項１から請求項４までの何れか１項に記載のカメラシステム。
【請求項８】
前記第１の電気接点部は、複数の第１電気接点を有し、
前記第２の電気接点部は、前記複数の第１電気接点にそれぞれ対応する複数の第２電気接点を有し、
前記複数の第１電気接点と前記複数の第２の電気接点は、一方が可動接点とされるとともに他方が固定接点とされ、
前記固定接点の接触面は、前記直進移動の方向に対して傾斜して配置され、
前記可動接点の可動方向と前記固定接点の接触面とが略垂直であること
を特徴とする請求項１から請求項４までの何れか１項に記載のカメラシステム。
【請求項９】
前記被装着物は、撮影レンズを備えたレンズ鏡筒であること
を特徴とする請求項１から請求項８までのいずれか１項に記載のカメラシステム。
【請求項１０】
被装着物側電気接点部と被装着物側取付部とを備えた被装着物が着脱可能なカメラであって、
カメラ側電気接点部と、
前記被装着物側取付部と係合可能なカメラ側取付部とを備え、
前記被装着物を前記カメラに着脱する際には、前記被装着物から前記カメラに対して進行する被写体光の光軸に垂直な平面内において、前記被装着物と前記カメラとを相対的に直進移動せしめ、
前記カメラ側取付部と前記被装着物側取付部とのうちの少なくとも一方は、前記被装着物と前記カメラとの相対的な前記直進移動を案内する直進案内部を備えており、
前記直進案内部を介した直進移動によって前記被装着物が前記カメラに対して装着完了された装着完了位置に位置しているときに、前記被装着物と前記カメラとが、前記被装着物側電気接点部と前記カメラ側電気接点部とを介して導通すること
を特徴とするカメラ。
【請求項１１】
カメラ側電気接点部とカメラ側取付部とを備えたカメラに対して着脱可能な被装着物であって、
被装着物側電気接点部と、
前記カメラ側取付部と係合可能な被装着物側取付部とを備え、
前記被装着物を前記カメラに着脱する際には、前記被装着物から前記カメラに対して進行する被写体光の光軸に垂直な平面内において、前記被装着物と前記カメラとを相対的に直進移動せしめ、
前記カメラ側取付部と前記被装着物側取付部とのうちの少なくとも一方は、前記被装着物と前記カメラとの相対的な前記直進移動を案内する直進案内部を備えており、
前記直進案内部を介した直進移動によって前記被装着物が前記カメラに対して装着完了された装着完了位置に位置しているときに、前記被装着物と前記カメラとが、前記カメラ側電気接点部と前記被装着物側電気接点部とを介して導通すること
を特徴とする被装着物。
【発明の詳細な説明】
【技術分野】
【０００１】
本発明は、カメラシステム、カメラ、及び、被装着物に関するものである。
【背景技術】
【０００２】
カメラと、このカメラに着脱可能なレンズ鏡筒等の被装着物とから成るカメラシステムは、被装着物を光軸に垂直な平面内でスライドさせることによってカメラに装着せしめるマウント機構を備えるものが知られている（例えば、特許文献１参照）。
【特許文献１】特開平１０−１１５８５８号公報
【発明の開示】
【発明が解決しようとする課題】
【０００３】
しかし、特許文献１に記載のカメラシステムは、カメラと被装着物との双方向通信や、カメラから被装着物に対して電源の供給を行うことができない。
本発明の課題は、カメラと被装着物とを電気的に接続可能なカメラシステム、被装着物と電気的に接続可能なカメラ、及び、カメラと電気的に接続可能な装着物を提供することである。
【課題を解決するための手段】
【０００４】
本発明は、以下のような解決手段により、前記課題を解決する。ここでは理解を容易にするために、本発明の実施形態に対応する符号を付して説明するが、これに限定されるものではない。また、符号を付して説明した構成は、適宜改良してもよく、また、少なくとも一部を他の構成物に代替してもよい。
請求項１の発明は、カメラ（１００）と、該カメラに着脱可能な被装着物（２００）とから成るカメラシステムであって、前記カメラは、第１の電気接点部（１４０）と、第１の取付部（１２３、１２４、１２５）とを備え、前記被装着物は、第２の電気接点部（２５０）と、前記第１の取付部と係合可能な第２の取付部（２２３）とを備え、前記被装着物を前記カメラに着脱する際には、前記被装着物から前記カメラに対して進行する被写体光の光軸（Ｏ）に垂直な平面内において、前記被装着物と前記カメラとを相対的に直進移動せしめ、前記第１の取付部と前記第２の取付部とのうちの少なくとも一方は、前記被装着物と前記カメラとの相対的な前記直進移動を案内する直進案内部（１２１、１２２）を備えており、前記直進案内部を介した直進移動によって前記被装着物が前記カメラに対して装着完了された装着完了位置に位置しているときに、前記被装着物と前記カメラとが、前記第１の電気接点部と前記第２の電気接点部とを介して導通することを特徴とするカメラシステム（１）である。
【発明の効果】
【０００５】
本発明によれば、カメラと被装着物とを電気的に接続可能なカメラシステム、被装着物と電気的に接続可能なカメラ、及び、カメラと電気的に接続可能な装着物を提供することができる。
【発明を実施するための最良の形態】
【０００６】
以下、図面を参照して、本発明を適用したカメラシステムの実施形態について説明する。また、理解を容易にするため、各図面に適宜Ｘ軸−Ｙ軸−Ｚ軸から成る座標系を設定して説明する。
【０００７】
［第１実施形態］
図１は、第１実施形態のカメラシステムを示す斜視図である。
図２は、図１に示すカメラシステムを示す断面図である。
この図２において、（ａ）は、カメラシステムの通常位置（通常姿勢）における光軸を含む鉛直方向の断面（図１のＹ−Ｚ面）図であり、（ｂ）は、カメラシステムの通常位置（通常姿勢）における光軸を含む水平方向の断面（図１のＸ−Ｚ面）図である。
【０００８】
図１に示すように、第１実施形態のカメラシステム１は、カメラ１００と、このカメラ１００に対して着脱可能に装着される被装着物であるレンズ鏡筒２００とを備えている。また、カメラシステム１は、図２に示すように、レンズ鏡筒２００をカメラ１００に着脱可能に装着せしめるマウント機構３００、及び、カメラ１００とレンズ鏡筒２００とを電気的に接続せしめる電気接続機構４００を備えている。
【０００９】
この第１実施形態のカメラシステム１において、レンズ鏡筒２００は、自身（レンズ鏡筒２００）からカメラ１００に進行する被写体光の光軸Ｏに垂直な平面（図１のＸ−Ｙ平面）内で、カメラ１００に対して直進移動（スライド）することによってカメラ１００に装着されるようになっている。
この直進移動の方向は、カメラシステム１の通常位置において、略水平方向となっている。以下、レンズ鏡筒２００のカメラ１００に対する装着時の移動方向を、装着方向と称し、各図に符号Ａを付して説明する。
【００１０】
また、本明細書において、カメラシステム１の通常位置（通常姿勢）とは、被写体光の光軸Ｏを水平にして、横長の画像を撮影する際のカメラシステム１の位置（姿勢）をさすものとする。以下、本明細書において、カメラシステム１及びカメラシステム１を構成する各要素の配置に関する説明は、この通常位置を基準に説明するものとし、上下方向、左右方向といった場合には、カメラシステム１を光軸方向に沿ってレンズ鏡筒２００側からみた場合の方向をさすものとする。
【００１１】
次にカメラシステム１を形成する各要素について個別に説明する。
カメラ１００は、カメラボディ１１０、カメラ側マウント部１２０、ファインダ部１３０、カメラ側電気接点部１４０を備えている。
【００１２】
カメラボディ１１０は、略直方体の箱型に形成されており、カメラ１００の外観面を形成している。
図２に示すように、カメラボディ１１０の内部には、レンズ鏡筒２００に備えられた撮影レンズ２３０から進行する被写体光を電気信号に変換する撮像部１１１、バッテリ１１２やフラッシュメモリ等の記録媒体１１３が着脱可能に装着されるスロット部、ＭＰＵ等の演算装置が実装された電気回路基板１１４等が収容されている。また、カメラボディ１１０の背面部には、撮影済みの画像やメニュー画面等を表示可能な表示装置１１５が設けられている。
【００１３】
カメラ側マウント部１２０は、レンズ鏡筒２００に設けられた鏡筒側マウント部２２０と協働してマウント機構３００として機能するものである。カメラ側マウント部１２０は、カメラボディ１１０の前面部に設けられている。このカメラ側マウント部１２０の構造については、後に詳しく説明する。
【００１４】
ファインダ部１３０は、フレーミング時に撮影者が被写体像の観察を行う部分である。ファインダ部１３０は、図２（ａ）に示すように、カメラボディ１１０に収容され、カメラ側マウント部１２０や撮像部１１１に対して上方に設けられている。
本第１実施形態のファインダ部１３０は、フレーミング時の撮像部１１１の出力に基づく画像を略リアルタイムで表示する表示部を備えた公知のＥＶＦ（Electronic View Finder）装置を備えている。
【００１５】
カメラ側電気接点部１４０は、レンズ鏡筒２００に設けられた鏡筒側電気接点部２５０と協働して電気接続機構４００として機能する第１の電気接点部である。このカメラ側電気接点部１４０の構造については、後に詳しく説明する。
【００１６】
レンズ鏡筒２００は、カメラ１００に着脱可能に装着される交換レンズであり、図２（ｂ）に示すように、レンズボディ２１０、鏡筒側マウント部２２０、撮影レンズ２３０、絞り部２４０、及び、鏡筒側電気接点部２５０を備えている。
【００１７】
レンズボディ２１０は、被写体光の光軸Ｏに直交する断面形状が略長方形である角筒状に形成されており、レンズ鏡筒２００の外観面を形成している。
レンズボディ２１０の内部には、図２に示すように、ＭＰＵ等の演算装置が実装された電気回路基板２１１や、後述する撮影レンズ２３０、絞り部２４０等が収容されている。
【００１８】
鏡筒側マウント部２２０は、カメラ１００に設けられたカメラ側マウント部１２０と協働してマウント機構３００として機能するものである。鏡筒側マウント部２２０は、レンズボディ２１０におけるカメラ１００側の端部に設けられている。この鏡筒側マウント部２２０の構造については、後に詳しく説明する。
【００１９】
撮影レンズ２３０は、第１レンズ群２３１、第２レンズ群２３２、第３レンズ群２３３、及び、第４レンズ群２３４を備え、被写体光の進行方向に沿ってこの順番に配置されている。
第２レンズ群２３２は、ブレ補正レンズとしても機能し、レンズ鏡筒２００に設けられたブレ補正アクチュエータ２３５によって、撮像部１１１に対して光軸Ｏに垂直な平面（Ｘ−Ｙ平面）内で駆動される。カメラシステム１は、これによって、撮像部１１１に結像される被写体像の像ブレが補正されるようになっている。
【００２０】
第３レンズ群２３３は、フォーカスレンズとしても機能する。第３レンズ群２３３は、レンズ鏡筒２００に設けられたフォーカスモータ２３６によって光軸方向に駆動され、カメラシステム１は、これによって、撮像部１１１に結像される被写体像の合焦を行うようになっている。
【００２１】
絞り部２４０は、撮影レンズ２３０を通過する被写体光の光量を調節する部分である。本第１実施形態の絞り部２４０は、絞りアクチュエータ２４１によって駆動される複数の絞り羽根を備えた公知の光彩絞りを備えている。
鏡筒側電気接点部２５０は、前述したカメラ側電気接点部１４０と協働して電気接続機構４００として機能する第２の電気接点部である。この鏡筒側電気接点部２５０の構造については、後に詳しく説明する。
【００２２】
次に、マウント機構３００（カメラ側マウント部１２０及び鏡筒側マウント部２２０）の構造について説明する。
図３は、図１に示すカメラシステムに備えられたマウント機構を示す図である。
この図３において、（ａ）は、レンズ鏡筒（図中、二点鎖線で表示する）のカメラに対する装着前の状態を、（ｂ）は、レンズ鏡筒（図中、二点鎖線で表示する）のカメラに対する装着が完了した状態をそれぞれ示している。
【００２３】
カメラ側マウント部１２０は、図１（ａ）及び図３に示すように、カメラボディ１１０の前面部であって、その右端部を含む領域に設けられている。カメラ側マウント部１２０は、それぞれが水平方向に延在する帯状の部分である第１マウント基部１２１と第２マウント基部１２２とを備えている。第１マウント基部１２１は、第２マウント基部１２２に対して上方に設けられている。
【００２４】
また、カメラ側マウント部１２０は、第１マウント基部１２１及び第２マウント基部１２２の左方の端部同士を接続する第３マウント基部１２３を備えている。これによって、カメラ側マウント部１２０は、全体的な形状がカメラボディ１１０の右端部に開口した略Ｕ字状（コの字状）に形成されている。第１〜３マウント基部１２１〜１２３は、例えば、金属材料によって一体的に形成されている。
【００２５】
カメラ側マウント部１２０は、第１マウント基部１２１の右端部から下方（−Ｙ方向）に張り出して設けられた第１係合部１２４、及び、第２マウント基部１２２の右端部から上方（＋Ｙ方向）に張り出して設けられた第２係合部１２５を備えている。
【００２６】
第１係合部１２４は、レンズ鏡筒２００のカメラ１００に対する装着完了状態（以下、単に装着完了状態と称する）において、後述する鏡筒側マウント部２２０に備えられた第３爪部２２３ｃと機械的に係合する部分である。また、装着完了状態において、第２係合部１２５は、第４爪部２２３ｄと機械的に係合するようになっている（図３（ｂ）参照）。
また、装着完了状態において、第３マウント基部１２３は、鏡筒側マウント部２２０に備えられた第１爪部２２３ａ及び第２爪部２２３ｂと機械的に係合するようになっており、第３マウント基部１２３、第１係合部１２４、及び、第２係合部１２５は、協働して第１の取付部（カメラ側取付部）として機能するようになっている。
【００２７】
カメラシステム１は、第１係合部１２４、第２係合部１２５、及び、第３マウント基部１２３が、第１〜第４爪部２２３ａ〜２２３ｄとそれぞれ機械的に係合した装着完了状態において、カメラ１００とレンズ鏡筒２００との光軸方向の移動が制限されるようになっている。
また、第１係合部１２４、第２係合部１２５、及び、第３マウント基部１２３は、第１〜第４爪部２２３ａ〜２２３ｄを光軸方向撮影者側（−Ｚ方向）に付勢する図示しない板バネをそれぞれ備えている。これによってレンズ鏡筒２００は、装着完了状態において、カメラ１００に対する光軸方向のがたつきが防止されるようになっている。
【００２８】
カメラ側マウント部１２０は、ロックピン１２６（図１（ａ）参照）を備えている。
ロックピン１２６は、装着完了状態において後述する鏡筒側マウント部２２０に設けられたロック孔２２５（図１（ｂ）参照）に挿入されるものである。レンズ鏡筒２００とカメラ１００とは、ロックピン１２６がロック孔２２５に挿入されることによって、装着方向Ａの相対移動が制限される。カメラシステム１は、この装着完了状態において、レンズ鏡筒２００から進行する被写体光の光軸Ｏと、撮像部１１１の中心とが概ね重なるようになっている。
【００２９】
ロックピン１２６は、第２係合部１２５に設けられており、レンズ鏡筒２００側に突き出した突出位置（図１（ａ）参照）と、第２係合部１２５に収納された収容位置との間で移動可能になっている。カメラ側マウント部１２０は、ロックピン１２６を突出位置に付勢する図示しない付勢バネを備えている。ロックピン１２６は、カメラボディ１１０に備えられたロックピン解除レバー１２７（図１（ａ）参照）が−Ｚ方向に操作されることによって、突出位置から収容位置に移動するようになっている。
【００３０】
次に鏡筒側マウント部２２０について説明する。
図１（ｂ）に示すように、鏡筒側マウント部２２０は、ベース部２２１、レンズ保持枠２２２、係合爪２２３（２２３ａ〜２２３ｄ）、位置決め突起２２４（２２４ａ〜２２４ｄ）、及び、ロック孔２２５を備えている。
ベース部２２１は、レンズボディ２１０のカメラ１００側の端部に設けられている。ベース部２２１は、光軸方向からみた平面形が略長方形の板状に形成されている。
【００３１】
レンズ保持枠２２２は、ベース部２２１からカメラ１００側に突き出して設けられた円環状の部分であり、ベース部２２１に一体に形成されている。撮影レンズ２３０のうち最もカメラ側に配置された第４レンズ群２３４は、このレンズ保持枠２２２の内径側に固定されており、レンズ保持枠２２２は、被写体光を通過させる開口部を形成する開口形成部材として機能する。
【００３２】
ここで、開口形成部材２２２の機能について説明する。
図４（ａ）は光学系とその光線の一例を示す図であり、光軸を含む断面を示している。また、図４（ｂ）は、撮像部の結像面を示している。これらの図４（ａ）及び（ｂ）において、周辺光束は、片側（光軸を挟んで一方側の領域）のみ示している。
図４（ａ）に示す画角中央の中央光束による被写体像は、図４（ｂ）に示す撮像部１１１の結像面１１１ａの中央ａに結像する。
また、図４（ａ）に示す画角周辺の周辺光束による被写体像は、図４（ｂ）に示す撮像部１１１の結像面１１１ａの周辺ｂに結像する。周辺ｂは、四角い画角の１つの角に相当する位置である。なお、図４（ａ）及び（ｂ）は、被写体距離を無限遠として示しているが、有限距離であっても図４（ａ）及び（ｂ）と同様である。
【００３３】
この図４（ａ）では、撮像部１１１の結像面に有効に結像する被写体像の光束は、レンズ保持枠２２２の開口部によって規定されている。つまり、この図４（ａ）に示す例のレンズ保持枠２２２は、被写体光を通過させる開口部を形成する開口形成部材としての機能を有していることになる。
【００３４】
図４（ｃ）は、図４（ａ）に示すレンズ（光学）系の内部に絞りを備えている場合を示している。この図４（ｃ）において、絞りは、最大に開いた状態を示している。
この図４（ｃ）に示す場合、撮像部１１１の結像面に有効に結像される被写体像の光束は、絞りの開口径によって規定されることになる。そして、この絞りが最大に開いた状態であっても、図４（ｃ）に示すように、被写体光束とレンズ保持枠２２２の開口部との間には、わずかな隙間δが形成されている。
つまり、この図４（ｃ）に示すレンズ（光学）系の場合、レンズ保持枠２２２は、被写体光の通過開口としての機能を有するが、被写体光を通過させる開口部を形成する開口形成部材としての機能は具備していないことになる（この被写体光を通過させる開口部は、絞りによって規定されることになり、絞りが開口形成部材として機能する）。
【００３５】
なお、レンズ（光学）系のタイプによっては、レンズ２３４の位置で中央光束の径の方が周辺光束の径よりも大きい場合もあるが、この場合であっても上述した例と同様に考えることができる。
また、レンズ（光学）系のタイプによっては、レンズ保持枠２２２がレンズ２３４を保持せず、レンズ鏡筒２００のベース部２２１には、光束を通過させる開口部のみ形成されている場合もある。さらに、レンズ２３４に変えて、平行平面板が配置されている場合もある。
【００３６】
係合爪２２３は、カメラ側マウント部１２０に設けられた第１係合部１２４、第２係合部１２５、第３マウント基部１２３に機械的に係合可能に設けられており、第２の取付部（被係合物側取付部）として機能する。係合爪２２３は、第１爪部２２３ａ、第２爪部２２３ｂ、第３爪部２２３ｃ、及び、第４爪部２２３ｄを備えている。
第１爪部２２３ａ及び第２爪部２２３ｂは、ベース部２２１の装着方向前部に設けられている。第１爪部２２３ａ及び第２爪部２２３ｂの先端部は、装着方向Ａに平行に突き出して設けられており、第３マウント基部１２３と係合するようになっている。
第３爪部２２３ｃ及び第４爪部２２３ｄは、ベース部２２１の装着方向後部に設けられている。第３爪部２２３ｃ及び第４爪部２２３ｄの先端部は、それぞれ上方、下方に突き出して設けられており、第１係合部１２４、第２係合部１２５にそれぞれ係合するようになっている。
【００３７】
ここで、図３（ｂ）に示すように、第１〜４爪部２２３ａ〜２２３ｄは、レンズ保持枠２２２の上端部分を通る水平面Ｈ１と、レンズ保持枠２２２の下端部分を通る水平面Ｈ２とに挟まれた領域内に設けられている。第１爪部２２３ａ及び第３爪部２２３ｃは、レンズ保持枠２２２を挟んでベース部２２１の水平面Ｈ１側に設けられ、第２爪部２２３ｂ及び第４爪部２２３ｄは、レンズ保持枠２２２を挟んでベース部２２１の水平面Ｈ２側に設けられている。
これによって、係合爪２２３と、第１係合部１２４、第２係合部１２５、第３マウント基部１２３とは、それぞれ水平面Ｈ１と水平面Ｈ２との間の領域で係合するようになっている。
【００３８】
位置決め突起２２４は、レンズ鏡筒２００がカメラ１００に装着される際に、レンズ鏡筒２００が装着方向Ａに直進案内される部分である。
位置決め突起２２４は、ベース部２２１からカメラ１００側に突き出して設けられた略直方体の部分である。位置決め突起２２４は、複数設けられており、本第１実施形態では、例えば、合計４つ（２２４ａ〜２２４ｄ）設けられている。
【００３９】
４つの位置決め突起２２４ａ〜ｄのうち、ベース部２２１の上端部近傍に設けられた位置決め突起２２４ａ、２２４ｂは、それぞれ第１マウント基部１２１の下端面１２１Ａに接触するようになっている。また、ベース部２２１の下端部近傍に設けられた他の２つの位置決め突起２２４ｃ、２２４ｄ（位置決め突起２２４ｄは図３参照）は、第２マウント基部１２２の上端面１２２Ａにそれぞれ接触するようになっている。
つまり、これら位置決め突起２２４ａ〜２２４ｄ（被案内部）に接触する第１マウント基部１２１の下端面１２１Ａと第２マウント基部１２２の上端面１２２Ａとが、レンズ鏡筒２００をカメラ１００に装着する際の案内部材の役割を果たす。
【００４０】
ロック孔２２５は、カメラ側マウント部１２０に設けられたロックピン１２６が挿入される孔部であり、第４爪部２２３ｄの近傍に配置されている。
【００４１】
次に、本第１実施形態のレンズ鏡筒２００をカメラ１００に装着する際の動作について説明する。
レンズ鏡筒２００は、まず、光軸方向（図１（ａ）の矢印Ｂ方向）に移動されることによってカメラ１００に接近し、鏡筒側マウント部２２０のカメラ１００側の端面とカメラ側マウント部１２０のレンズ鏡筒２００側の端面とが接触する。このカメラ１００とレンズ鏡筒２００との接触面は、光軸Ｏに垂直な第１の平面を形成する。
この接触状態において、カメラ１００とレンズ鏡筒２００とは、図３（ａ）に示すように、係合爪２２３がカメラ側マウント部１２０に接触しないように、撮影レンズ２３０の中心が、撮像部１１１の中心に対して右方にずれた位置とされる。以下、この図３（ａ）に示す状態を、装着前状態と称して説明する。
【００４２】
また、図３（ａ）に示す装着前状態において、位置決め突起２２４ａ、２２４ｂは、第１マウント基部１２１の下端面１２１Ａに、位置決め突起２２４ｃ、２２４ｄは、第２マウント基部１２２の上端面１２２Ａにそれぞれ接触している。これによって、レンズ鏡筒２００は、カメラ１００に対して水平方向に直進移動のみができるようになり、これらは協働しての直進案内機構として機能する。
【００４３】
次いで、レンズ鏡筒２００は、カメラ１００に対して装着方向Ａにスライドされる。これによって、図３（ｂ）に示すように、第１爪部２２３ａ及び第２爪部２２３ｂが第３マウント基部１２３に、第３爪部２２３ｃが第１係合部１２４に、第４爪部２２３ｄが第２係合部１２５にそれぞれ引っ掛かって機械的に係合する。また、ロックピン１２６とロック孔２２５とは、撮影レンズ２３０の光軸Ｏが撮像部１１１の中心に重なる位置で互いの位置が重なる。これにより、ロックピン１２６は、突出位置に移動してロック孔２２５に挿入される（以下、この状態を装着完了状態と称する）。
【００４４】
次に、電気接続機構４００（カメラ側電気接点部１４０及び鏡筒側電気接点部２５０）について説明する。
図１及び図３に示すように、カメラ側電気接点部１４０は、光軸方向からみて第３マウント基部１２３に重なる位置に設けられており、例えば、４つの第１電気接点である可動接点１４１を備えている。これらの可動接点１４１は、接点ベース部１４２に支持されており、その可動方向は、光軸方向（Ｚ方向）に略平行となっている。この４つの可動接点は、それぞれバネ１４１ａ等の付勢手段によりＺ方向に常時付勢されているものである（図５（ａ）参照）。
【００４５】
４つの可動接点１４１は、上下方向（装着方向Ａに直交する方向（Ｙ方向））に配列されており、上から順番に、電源供給用接点、接地（ＧＮＤ）用接点、第１通信用接点、第２通信用接点となっている。
ここで、本明細書において、可動接点とは、接点を支持する支持部材（本実施形態では接点ベース部１４２）に対して移動可能に設けられた接点を意味するものとする。
【００４６】
鏡筒側電気接点部２５０は、ベース部２２１の装着方向前部であって、第１爪部２２３ａと第２爪部２２３ｂとの間に設けられている。鏡筒側電気接点部２５０は、例えば、４つの第２電気接点である固定接点２５１を備えている。４つの固定接点２５１は、可動接点１４１に対応して、上下方向（装着方向Ａに直交する方向（Ｙ方向））に配列されており、上から順番に、電源供給用接点、接地（ＧＮＤ）用接点、第１通信用接点、第２通信用接点となっている。
これらの固定接点２５１は、装着完了状態で上述した可動接点１４１に接触し、この状態で、カメラ１００とレンズ鏡筒２００とは、導通可能となっている。
４つの固定接点２５１は、それぞれ光軸Ｏに垂直な接触面を備えている。４つの固定接点２５１を支持する接点ベース部２５２は、装着方向前部の角部を傾斜させて形成された傾斜部２５２ａ（図５参照）を備えている。
【００４７】
ここで、レンズ鏡筒２００に備えられたブレ補正アクチュエータ２３５やフォーカスモータ２３６等の各電動アクチュエータは、カメラ１００に備えられたバッテリ１１２から、側電気接点部１４０及び鏡筒側電気接点部２５０の電源供給用接点を介して電源が供給されるようになっている。
【００４８】
また、カメラ１００に備えられた電気回路基板１１４には、カメラ側通信部４０１が、レンズ鏡筒２００に備えられた電気回路基板２１１には、被装着物側通信部である鏡筒側通信部４０２がそれぞれ設けられている（図２（ｂ）参照）。カメラ側通信部４０１は、カメラ側電気接点部１４０に電気的に接続され、鏡筒側通信部４０２は、鏡筒側電気接点部２５０に電気的に接続されている。
カメラ側通信部４０１と鏡筒側通信部４０２とは、カメラ側電気接点部１４０及び鏡筒側電気接点部２５０の第１通信用接点及び第２通信用接点を介して互いに電気信号の送受信を行うことが可能になっており、カメラ１００とレンズ鏡筒２００とは、双方向通信を行うことができるようになっている。
【００４９】
次に、カメラ側電気接点部１４０と鏡筒側電気接点部２５０とが接触する際の動作を説明する。
図５は、図１に示すカメラシステムに備えられた電気接点部（カメラ側電気接点部１４０及び鏡筒側電気接点部２５０）を示す図である。
図５（ａ）は、図３（ａ）に示す装着前状態における固定接点２５１と可動接点１４１との位置を示している。
【００５０】
図５（ａ）に示す装着前状態からレンズ鏡筒２００を装着方向Ａにスライドさせると、接点ベース部２５２に設けられた傾斜部２５２ａが可動接点１４１に接触し、可動接点１４１は、図５（ｂ）に示すように、バネ１４１ａの付勢力に抗して接点ベース部１４２に収容される方向に押し込まれる。
この後、レンズ鏡筒２００がさらに装着方向Ａに移動して、図５（ｃ）に示す完了直前位置となると、固定接点２５１が可動接点１４１に接触する。このとき、例えば、４つが設けられた可動接点１４１のそれぞれは、対応する固定接点２５１に対して、略同時に接触する。
【００５１】
そして、この図５（ｃ）に示す完了直前位置からさらにレンズ鏡筒２００が装着方向Ａに移動すると、これに応じて固定接点２５１と可動接点１４１とが摺動し、その両者間の摺動を経た後に図５（ｄ）に示す装着完了位置となる。
ここで、本明細書において、完了直前位置（図５（ｃ）参照）とは、装着完了位置（図５（ｄ）参照）に至る手前の位置を意味し、例えば、各係合爪２２３が係合対象の第３マウント基部１２３、第１係合部１２４、第２係合部１２５に対して係合を開始した位置（すなわち、係合爪２２３が係合対象と全く係合していない場合は、完了直前に含まない）や、撮像部１１１とレンズ保持枠２２２とが光軸方向からみて重ならなくなる位置（すなわち、図３（ａ）に示す状態は完了直前に含まない）や、ロックピン１２６が光軸方向からみてロック孔２２５の一部と重り始める位置を意味するものとする。
【００５２】
次に、本第１実施形態のカメラシステムの効果を比較形態のカメラシステムと対比して説明する。
図６は、比較形態及び実施形態のマウント機構を示す図であり、図６（ａ）は、比較形態のマウント機構１３００を、図６（ｂ）は、第１実施形態のマウント機構３００を示している。
この比較形態及び以下説明するその他の実施形態において、上述した第１実施形態と同様な機能を果たす部分には、同一の符号又は末尾に統一した符号を付して、重複する説明や図面を適宜省略する。
【００５３】
図６（ａ）に示す比較形態のマウント機構１３００は、第１実施形態のカメラ側マウント部１２０に設けられた第１係合部１２４、第２係合部１２５に相当する部分を備えていない。
また、比較形態のマウント機構１３００は、第１マウント基部１１２１、第２マウント基部１１２２にそれぞれ設けられた水平方向に延在する溝１１２１ａ、１１２２ａに、レンズ鏡筒に設けられた係合爪（図示省略）が係合するようになっている。
【００５４】
この図６（ａ）において、カメラ側マウント部１１２０と鏡筒側マウント部の爪部とが係合する部分に符号Ｃ１を付して説明する。図６（ａ）に示すように、比較形態のマウント機構１３００は、水平面Ｈ１と水平面Ｈ２とに挟まれる領域の外側でカメラ側マウント部１１２０と鏡筒側マウント部とが係合するようになっている。
【００５５】
これに対し、図６（ｂ）に示す第１実施形態のカメラ側マウント部１２０は、前述のように、カメラ側マウント部１２０と鏡筒側マウント部２２０とが、水平面Ｈ１と水平面Ｈ２とに挟まれる領域内（図６（ｂ）において符号Ｃ２を付した部分）で係合するように設けられている。
これによって、第１実施形態のカメラ側マウント部１２０は、第１マウント基部１２１及び第２マウント基部１２２の上下方向寸法を小さくすることができ、カメラ側マウント部１２０の上下方向の寸法（Ｌ２）を、比較形態のカメラ側マウント部１１２０の上下方向の寸法（Ｌ１）に比べて小さくできる（Ｌ２＜Ｌ１）。
【００５６】
以上、説明したように、第１実施形態のカメラ側マウント部１２０は、上下方向の寸法を小さくすることができるので、カメラ１００の高さ方向寸法を小さくできる。したがって、図２（ａ）に示すように、ファインダ部１３０をカメラ側マウント部１２０の上方に重なるように配置しても、カメラ１００が大型化しない。
【００５７】
以上説明した効果に加え、本第１実施形態のカメラシステム１は、以下の効果を得ることができる。
（１）カメラ側通信部４０１と鏡筒側通信部４０２とが双方向通信を行うことができるので、カメラ１００は、レンズ鏡筒２００から、例えば、焦点距離や絞り値等のレンズ情報を取得でき、さらに、レンズ鏡筒２００に備えられた各アクチュエータを制御することができる。これによって、カメラシステム１は、例えば、撮像部１１１の出力に基づいて、カメラ１００側からレンズ鏡筒２００に備えられた絞りアクチュエータ２４１やフォーカスモータ２３６の駆動制御を行うことができる。
（２）カメラ側電気接点部１４０に設けられた可動接点１４１と、鏡筒側電気接点部２５０の固定接点２５１とは、レンズ鏡筒２００のカメラ１００に対する装着動作に応じて摺動するので接触不良が防止される。
（３）カメラ１００に対してレンズ鏡筒２００係合させる爪部２２３は、レンズ鏡筒２００のベース部２２１の四隅に設けられているので、装着完了状態におけるレンズ鏡筒２００のカメラ１００に対する位置が安定する。
（４）４つの可動接点１４１のそれぞれは、装着完了状態で接触する相手方の固定接点２５１のみと摺動するから、例えば、通信用接点と電源供給用接点とが接触して、通信回路に大電流が流れる等のトラブルを防止できる。ここで、公知のバヨネット式マウント機構に設けられた電気接点は、レンズ鏡筒の装着動作に伴って複数の接点同士が摺動するため、例えば、電源供給用接点と通信用接点とが摺動しないようにするなど、接点の配置を考慮して設計する必要がある。これに対し、本実施形態の電気接続機構４００では、最終的に接触する接点同士が一対一の関係で摺動するので、接点の配置の自由度が向上する。
（５）カメラ１００とレンズ鏡筒２００とが装着完了位置に至る直前（図５（ｃ）の完了直前位置）から、装着完了位置（図５（ｄ））に至るまでの期間において、カメラ１００側とレンズ鏡筒２００側の両方の接点が摺動するように配置されているので、接点に異物がついて導通不良を起こすおそれがない。
【００５８】
［第２実施形態］
次に、本発明を適用したカメラシステムの第２実施形態について説明する。
図７は、第２実施形態のカメラシステムを示す斜視図である。
【００５９】
第２実施形態のカメラシステム２は、第１実施形態のカメラシステム１に対し、マウント機構の構造が異なっている。
第２実施形態のカメラ側マウント部５２０は、図７に示すように、第１マウント基部５２１の右端部と第２マウント基部５２２の右端部とにわたして設けられ、第３マウント基部５２３に平行に延在する係合部５２８を備えている。これによって、カメラ側マウント部５２０は、カメラ５００を光軸方向のレンズ鏡筒６００側からみた形状が、略矩形状となっている。
【００６０】
また、鏡筒側マウント部６２０の爪部６２３は、第３マウント基部５２３に係合可能な第１爪部６２３ａ及び第２爪部６２３ｂ、係合部５２８に係合可能な第３爪部６２３ｃを備えている。第３爪部６２３ｃは、第１爪部６２３ａ、第２爪部６２３ｂと同様に、その先端部が装着方向Ａに突き出している。第３爪部６２３ｃは、その爪幅が第１爪部６２３ａ、第２爪部６２３ｂよりも広くなっている。
【００６１】
この第２実施形態のカメラシステム２も、第１実施形態のカメラシステム１と同様の装着手順でレンズ鏡筒６００をカメラ５００に装着するようになっている。
【００６２】
第２実施形態のカメラシステム２は、第１実施形態のカメラシステム１の効果に加え、第１マウント基部５２１の右端と第２マウント基部５２２の右端とを接続する柱状の部分である係合部５２８が設けられているので、カメラ５００の上下方向の剛性が向上するという効果が得られる。
【００６３】
［第３実施形態］
次に、本発明を適用したカメラシステムの第３実施形態について説明する。
図８は、第３実施形態のカメラシステムに備えられたマウント機構を示す図である。
第３実施形態のカメラシステム３は、第１実施形態のカメラシステム１に対して、電気接続機構７００の構造が異なっている。
【００６４】
第３実施形態の電気接続機構７００は、第１実施形態のカメラ側電気接点部１４０と同様に、カメラ側に、例えば、４つの第１電気接点である可動接点７４１（７４１ａ〜７４１ｄ）を備えているが、可動接点７４１は、第１マウント基部７２１側に、例えば、２つ（第１可動接点７４１ａ、第２可動接点７４１ｂ）が設けられるとともに、第２マウント基部７２２側に他の、例えば、２つが（第３可動接点７４１ｃ、第４可動接点７４１ｄ）設けられている。
また、各可動接点７４１は、Ｙ方向に可動に構成されており、第１マウント基部７２１側の第１、第２可動接点７４１ａ、７４１ｂは、不図示の付勢部材により−Ｙ方向に常時付勢されており、第２マウント基部７２２側の第３、第４可動接点７４１ｃ、７４１ｄは、不図示の付勢部材により＋Ｙ方向に常時付勢されているものである。
【００６５】
これらの可動接点７４１ａ〜７４１ｄは、レンズ鏡筒の装着方向Ａに沿ってそれぞれ離間して配置されている。第１マウント基部７２１側に設けられた可動接点７４１ａ、７４１ｂは、それぞれ下方に向けて突き出しており、第２マウント基部７２２側に設けられた可動接点７４１ｃ、７４１ｄは、それぞれ上方に向けて突き出して設けられている。これらの可動接点の可動方向は、上下方向（±Ｙ方向）となっている。
【００６６】
また、電気接続機構７００は、レンズ鏡筒側に、例えば、４つの第２電気接点である固定接点７５１（第１〜第４固定接点７５１ａ〜７５１ｄ）を備えている。これらの固定接点７５１ａ〜７５１ｄは、４つの可動接点７４１ａ〜７４２ａに対して装着完了状態で対向する位置に設けられている。これらの固定接点７５１ａ〜７５１ｄの接触面は、それぞれ水平面（装着方向Ａ）に平行となっている。
【００６７】
第３実施形態のカメラシステム３も第１実施形態のカメラシステム１と同様に、図８（ａ）に示す装着前状態では、第４レンズ群２３４の中心と撮像部１１１との中心とがずれた位置とされる。
ここで、図８（ａ）に示す装着前状態において、第１固定接点７５１ａは、第１可動接点７４１ａと第２可動接点７４１ｂとの間に配置され、第２固定接点７５１ｂは、第２可動接点７４１ｂの右方に配置される。また、第３固定接点７５１ｃは、第３可動接点７４１ｃと第４可動接点７４１ｄとの間に配置され、第４固定接点７５１ｄは、第４可動接点７４１ｄの右方に配置される。
【００６８】
このように、第３実施形態のカメラシステムは、図８（ａ）に示す装着前状態において、装着完了状態（図８（ｂ）参照）で接触する一組の可動接点と固定接点との間には、他の可動接点、固定接点が配置されないようになっている。
【００６９】
この第３実施形態のカメラシステム３では、装着前状態（図８（ａ））からレンズ鏡筒を装着方向Ａに移動させると、可動接点７４１と固定接点７５１とが摺動しながら図８（ｂ）に示す、可動接点７４１と固定接点７５１とが接触した装着完了状態に移行する。
【００７０】
ここで、前述のように装着前状態において、装着完了時に接触する一組の接点間には、他の接点が配置されないので、可動接点７４１は、装着完了時に接触する相手の固定接点７５１のみと摺動する。具体的に説明すると、例えば、第１可動接点７４１ａは、第１固定接点７５１ａのみと摺動し、第２可動接点７４１ｂは、第２固定接点７５１ｂのみと摺動する。
以上説明した第３実施形態のカメラシステム３も第１実施形態のカメラシステム１と同様の効果を得ることができる。
【００７１】
［第４実施形態］
次に、本発明を適用したカメラシステムの第４実施形態について説明する。
図９は、第４実施形態のカメラシステムに備えられたマウント機構を示す図である。
この第４実施形態のカメラシステム４も、第３実施形態のカメラシステム３と同様に、第１実施形態のカメラシステム１に対して、電気接続機構８００の構造が異なっている。
第４実施形態のカメラシステム４に備えられた電気接続機構８００は、第１マウント基部１２１と第３マウント基部１２３との接続部の近傍に、例えば、４つの第１電気接点である可動接点８４１ａを備えるとともに、第２マウント基部と第３マウント基部１２３との接続部の近傍にも、例えば、４つの第１電気接点である可動接点８４１ｂが設けられている。
【００７２】
第１マウント基部１２１側に設けられた４つの可動接点８４１ａは、装着方向Ａに対して、例えば、４５°の角度をなす方向に配列されており、それぞれ接点ベース部８４２ａから不図示の付勢手段により右斜め下方に突き出すように常時付勢されているように設けられている。また、第２マウント基部１２２側に設けられた４つの可動接点８４１ｂは、装着方向Ａに対して、例えば、−４５°の角度をなして配列され、それぞれ接点ベース部８４２ｂから不図示の付勢手段により右斜め上方に突き出すように常時付勢されているように設けられている。
【００７３】
第２電気接点である固定接点８５１は、可動接点８４１に対応して、例えば、８つ設けられている。８つの固定接点８５１のうち、第１マウント基部８５１側に設けられた、例えば、４つの可動接点８４１ａに接触する、例えば、４つの固定接点８５１ａの接触面は、Ｘ−Ｚ平面（装着方向Ａに平行な水平面）に対して、例えば、４５°の角度をなしている。
また、８つの固定接点８５１のうち、第２マウント基部１２２側に設けられた、例えば、４つの可動接点８４１ｂに接触する、例えば、４つの固定接点８５１ｂの接触面は、Ｘ−Ｚ平面に対して、例えば、−４５°の角度をなしている。
【００７４】
これによって、例えば、８つずつ設けられた各可動接点８４１、固定接点８５１のそれぞれは、装着前状態において、装着完了状態で接触する予定の相手に対し、装着方向Ａに沿って対向して配置される。
【００７５】
第４実施形態のカメラシステム４は、図９（ａ）に示す装着前状態からレンズ鏡筒を装着方向Ａに移動させると、固定接点８５１と可動接点８４１の先端部とが接触し、可動接点８４１が接点ベース部８４２に収容される方向に押圧される。
そして、可動接点８４１が接点ベース部８４２に収容される方向に移動すると、この動作に伴って、可動接点８４１の先端部と固定接点８５１とが摺動する。
以上説明した第４実施形態のカメラシステム４は、第１実施形態のカメラシステム１の効果に加え、より多くの接点を設けることができるという効果を得ることができる。
【００７６】
［第５実施形態］
次に、本発明を適用したカメラシステムの第５実施形態について説明する。
図１０は、第５実施形態のカメラシステムに備えられたマウント機構を示す図である。
この第５実施形態のカメラシステム５も、第３実施形態のカメラシステム３と同様に、第１実施形態のカメラシステム１に対して、電気接続機構９００の構造が異なっている。
【００７７】
電気接続機構９００は、第１実施形態と同様の位置にカメラ側電気接点部９４０、及び、鏡筒側電気接点部９５０が設けられている。
カメラ側電気接点部９４０に備えられた第１電気接点である可動接点９４１は、実施形態１と同様に、例えば、４つ設けられ、上下方向（Ｙ方向）に配列されている。ただし、これらの可動接点９４１の可動方向は、装着方向Ａに平行となっている。また、各可動接点９４１は、それぞれ不図示の付勢手段により−Ａ方向（図中右方向）に常時付勢されている。
また、鏡筒側電気接点部９５０に備えられた第２電気接点である固定接点９５１は、可動接点９４１に対応して、例えば、４つ設けられ、これらは、上下方向に配列されている。ただし、これらの固定接点９５１の接触面は、装着方向Ａに垂直な面となっている。
【００７８】
第５実施形態のカメラシステム５は、上述した第１〜第４実施形態と異なり、レンズ鏡筒をカメラに装着する際に、固定接点９５１と可動接点９４１が摺動しないが、可動接点は、装着方向Ａに平行に移動可能なので、接点同士を確実に接触させることができる。
【００７９】
［変形形態］
本発明のカメラシステム、カメラ、被装着物の構成は、以上説明した実施形態に限定されることなく、以下に示すような種々の変形や変更が適宜可能であり、それらも本発明の技術的範囲内に含まれる。
（１）実施形態において、カメラに装着される被装着物は、撮影レンズを備えたレンズ鏡筒であったが、これに限らず、例えば、コンバータレンズや、規格の異なるマウント部を有するレンズ鏡筒の装着を可能にするアダプタ等であってもよい。
（２）カメラと被装着物との係合位置は、実施形態に記載した第２の平面（Ｈ１）と第３の平面（Ｈ２）との間の領域であれば、実施形態に記載した位置に限られない。
（３）被装着物の実施形態であるレンズ鏡筒は、カメラシステムの通常位置で水平方向にスライドしてカメラに装着されるものであったが、被装着物の装着方向は、これに限らず、例えば、鉛直方向であってもよい。この場合、カメラの幅方向寸法を小さくできる。
（４）電気接点の数は、実施形態に記載した数に限られない。また、固定接点をカメラ側に設け、可動接点を被装着物側に設けてもよい。
（５）実施形態のレンズ鏡筒は、角筒状であったが、これに限らず、例えば、円筒形状であってもよい。
（６）直進案内部の構成は、実施形態に記載したものに限らず、適宜変更が可能であり、カメラ側、又は、被装着物側のみに設けられた部材によって直進案内をしてもよい。例えば、実施形態において、直進案内部の一部を形成する位置決め突起２２４（図１（ｂ）参照）は、直方体状であったが、この位置決め突起の形状がこれ以外（例えば、円柱状）であっても、カメラシステムは、第１マウント基部１２１、第２マウント基部１２２によって、装着時の直進案内を行うことができる。また、例えば、直進移動の前半部分をカメラ及び被装着物の一方側に設けられた部材（又は部分）によって案内し、後半部分を他方側に設けられた部材（又は部分）によって案内してもよい。
【図面の簡単な説明】
【００８０】
【図１】第１実施形態のカメラシステムを示す斜視図である。
【図２】図１に示すカメラシステムの断面図である。
【図３】図１に示すカメラシステムに備えられたマウント機構を示す図である。
【図４】開口形成部材の機能について説明する図である。
【図５】図１に示すカメラシステムに備えられた電気接点機構を示す図である。
【図６】第１実施形態及び比較形態のマウント機構を示す図である。
【図７】第２実施形態のカメラシステムを示す斜視図である。
【図８】第３実施形態のカメラシステムに備えられたマウント機構を示す図である。
【図９】第４実施形態のカメラシステムに備えられたマウント機構を示す図である。
【図１０】第５実施形態のカメラシステムに備えられたマウント機構を示す図である。
【符号の説明】
【００８１】
１  カメラシステム  ：  １００  カメラ  ：  １２１  第１マウント基部  ：  １２２  第２マウント基部  ：  １２３  第３マウント基部  ：  １４０  カメラ側電気接点部  ：  ２００  レンズ鏡筒  ：  ２２２  レンズ保持枠  ：  ２２３  係合爪  ：  ２５０  鏡筒側電気接点部  ：  ３００  マウント機構  ：  ４００  電気接続機構
【図１】
2008276079.tif 000003
【図２】
2008276079.tif 000004
【図３】
2008276079.tif 000005
【図４】
2008276079.tif 000006
【図５】
2008276079.tif 000007
【図６】
2008276079.tif 000008
【図７】
2008276079.tif 000009
【図８】
2008276079.tif 000010
【図９】
2008276079.tif 000011
【図１０】
2008276079.tif 000012